(57)【要約】【課題】  植物を体裁よく支持することのできる植物支持具を提供する。【解決手段】  一方向に延長する中間部分３の少なくとも中央部分が植物支持部７となされ、該中間部分３の両端に土への埋設部９，９が設けられている。植物支持部７は、植物の茎を通過させる幅狭の入口１１を有し且つ奥側が拡大した拡大収容部１２とされ該拡大収容部１２の縁部が植物の茎を支持するようになされた屈曲支持片６が、入口１１を交互に逆向きに変化させて連設されている。【選択図】      図１
0003103179.tif 000002
【実用新案登録請求の範囲】
【請求項１】
一方向に延長する中間部分の少なくとも中央部分が植物支持部となされ該中間部分の両端に土への埋設部が設けられており、前記植物支持部は、植物の茎を通過させる幅狭の入口を有し且つ奥側が拡大した拡大収容部とされ該拡大収容部の縁部が植物の茎を支持するようになされた屈曲支持片が、該入口を交互に逆向きに変化させて前記中間部分の長さ方向に連設されていることを特徴とする植物支持具。
【請求項２】
バネ性線材を屈曲して全体が一連に構成された植物支持具であって、一方向に延長する中間部分の少なくとも中央部分が植物支持部となされ該中間部分の両端に土への埋設部が設けられており、前記植物支持部は、植物の茎を通過させる幅狭の入口を有し且つ奥側が拡大した拡大収容部とされ該拡大収容部の縁部が植物の茎を支持するようになされた屈曲支持片が、該入口を交互に逆向きに変化させて前記中間部分の長さ方向に連設されていることを特徴とする植物支持具。
【請求項３】
前記埋設部は、直線状に延長して栽培容器の栽培土に埋設状態とされる直線状突出部の基端に、該栽培容器の内面に当接し得る回り止め係合片が設けられていることを特徴とする請求項１又は２記載の植物支持具。
【請求項４】
前記埋設部は、直線状に延長する直線状突出部の基端に、土に埋設される回り止め係合片が設けられていることを特徴とする請求項１又は２記載の植物支持具。
【請求項５】
前記埋設部は、直線状に延長して栽培容器の栽培土に埋設状態とされる直線状突出部の基端に、該栽培容器の内面に当接し得る回り止め係合片が設けられており、該回り止め係合片は、前記植物支持部の幅方向に突出するように形成され、突出方向を前記栽培容器の周方向に向けた状態で該栽培容器の内面に当接し得ることを特徴とする請求項１又は２記載の植物支持具。
【請求項６】
前記入口が弾性的に拡開できることを特徴とする請求項１又は２記載の植物支持具。
【請求項７】
前記埋設部は直線状に延長する直線状突出部として構成されると共に、該直線状突出部が前記中間部分の軸線方向に突出されていることを特徴とする請求項１又は２記載の植物支持具。
【請求項８】
前記埋設部は直線状に延長する直線状突出部として構成されると共に、該直線状突出部の先端部分は、環状の回り止め係合片として構成されていることを特徴とする請求項１又は２記載の植物支持具。
【考案の詳細な説明】
【技術分野】
【０００１】
本考案は、植物を体裁良く支持することのできる植物支持具に関するものである。
【背景技術】
【０００２】
花や葉等の植物自体の重みで茎が垂れたり倒れたりすると、植物の見栄えが悪くなるばかりか、茎や葉等が植物の根元部分を密集状態に覆うことに伴い、根元部分で空気が淀んで酸素欠乏状態になったり、根元部分に湿気が溜まって根腐れの原因ともなりやすい。
【０００３】
このような事態を防止する従来の植物支持具の一例としては、実開平５−２６５３号公報が開示する植物の倒れ防止具や特開平２−１３８９２４号公報が開示する苗木結束帯、特開平１１−３１３５５７号公報が開示する植物支持具のように、茎の全体を囲むように植物を支持するループ状支持片を支柱に固定した構成のものが提案されている。
【０００４】
しかしながら前記従来の植物支持具によるときは、ループ状支持片が茎の全体を囲むように植物を支持する構成であったために、茎が枝分かれして横にも広がる植物に対しては、多くの茎を個別的に体裁良く支持するということができず、植物支持をお洒落に演出することが難しかった。
【特許文献１】実開平５−２６５３号公報（５−７頁、図１、図６）
【特許文献２】特開平２−１３８９２４号公報（３−４頁、図２）
【特許文献３】特開平１１−３１３５５７号公報（３−４頁、図１、図８、図１０−図１１）
【考案の開示】
【考案が解決しようとする課題】
【０００５】
本考案は、かかる問題点に鑑みて開発されたものであり、多くの茎を個別的に体裁良く支持することのできる植物支持具の提供を課題とするものである。
【課題を解決するための手段】
【０００６】
前記課題を解決するため、本考案は以下の手段を採用する。
【０００７】
即ち本考案に係る植物支持具は、一方向に延長する中間部分の少なくとも中央部分が植物支持部となされ該中間部分の両端に土への埋設部が設けられており、前記植物支持部は、植物の茎を通過させる幅狭の入口を有し且つ奥側が拡大した拡大収容部とされ該拡大収容部の縁部が植物の茎を支持するようになされた屈曲支持片が、該入口を交互に逆向きに変化させて前記中間部分の長さ方向に連設されていることを特徴とするものである。
【０００８】
本考案に係る植物支持具のより具体的な態様は、バネ性線材を屈曲して全体が一連に構成された植物支持具であって、一方向に延長する中間部分の少なくとも中央部分が植物支持部となされ該中間部分の両端に土への埋設部が設けられており、前記植物支持部は、植物の茎を通過させる幅狭の入口を有し且つ奥側が拡大した拡大収容部とされ該拡大収容部の縁部が植物の茎を支持するようになされた屈曲支持片が、該入口を交互に逆向きに変化させて前記中間部分の長さ方向に連設されていることを特徴とするものである。
【０００９】
前記各植物支持具において、前記埋設部は、直線状に延長して栽培容器の栽培土に埋設状態とされる直線状突出部の基端に、該栽培容器の内面に当接し得る回り止め係合片を設けるのがよい。
【００１０】
又前記各植物支持具において、前記埋設部は、直線状に延長する直線状突出部の基端に、土に埋設される回り止め係合片を設けるように構成されることもある。
【００１１】
又前記各植物支持具において、前記埋設部は、直線状に延長して栽培容器の栽培土に埋設状態とされる直線状突出部の基端に、該栽培容器の内面に当接し得る回り止め係合片を設け、該回り止め係合片は、前記植物支持部の幅方向に突出する如くなし、突出方向を前記栽培容器の周方向に向けた状態で該栽培容器の内面に当接し得るように構成するのがよい。
【００１２】
又前記各植物支持具において、前記入口が弾性的に拡開できるように構成するのがよい。
【００１３】
又前記各植物支持具において、前記埋設部は、直線状に延長する直線状突出部として構成すると共に、該直線状突出部が前記中間部分の軸線方向に突出される如く構成するのがよい。
【００１４】
又前記各植物支持具において、前記埋設部は、直線状に延長する直線状突出部として構成すると共に、該直線状突出部の先端部分を、環状の回り止め係合片として構成するのがよい。
【考案の効果】
【００１５】
本考案は以下の如き優れた効果を奏する。
【００１６】
(1) 本考案に係る植物支持具は、少なくとも中央部分が植物支持部となされた中間部分の両端に土への埋設部を設ける構成を採用しており、該植物支持部は、幅狭の入口を具えた屈曲支持片を該入口を交互に逆向きに変化させながら前記中間部分の長さ方向に連設して構成されているため、植物の茎が左右何れの方向に傾いている場合であっても、所要の屈曲支持片の入口を通して該茎を拡大収容部内に挿入状態とすることにより、該拡大収容部の縁部で茎を安定的に支持できる。
【００１７】
このように本考案によるときは、夫々の屈曲支持片が茎を支持できるため、多くの茎を個別的に体裁良く支持することができ、植物の支持をお洒落に演出できる。
【００１８】
(2) 埋設部の基端側等に回り止め係合片を設ける構成を採用した場合は、該回り止め係合片を土に埋設状態としたり、これを植木鉢の内面に当接状態とすることによって、埋設部の回り止めを確実に図ることができ、使用状態にある植物支持具の安定性を向上させることができる。
【００１９】
(3) 前記埋設部を直線状突出部を有する如く構成する場合、該直線状突出部を、前記植物支持部の軸線方向で見て外方に突出する如くバランスよく設けることにより、該直線状突出部が土に埋設された状態において、植物支持具の土に対する固定状態をより安定化させ得る。
【００２０】
(4) 前記入口を弾性的に拡開可能に構成することにより、入口幅よりも太い茎であっても、該入口を拡開させることによって茎を無理なく拡大収容部に納めることができる。
【００２１】
(5) 埋設部を直線状に形成する場合、その先端を円弧状に屈曲させて回り止め係合片を形成することにより、植物支持具の取り扱いの際に怪我をする恐れがないと共に、埋設部の埋設状態において、該回り止め係合片が埋設部の回り止めとしても機能できる。
【００２２】
(6) 本考案に係る植物支持具を、バネ性線材を屈曲して全体を一連に構成する場合は、そのアーチ状の曲げ具合を適当に調節することによって、例えば栽培容器に植えられた植物の大きさに合わせて適切な使用状態を得ることができる。
【実施例１】
【００２３】
図１〜２、図３において本考案に係る植物支持具１は、バネ性を有する鋼線等のバネ性線材２を屈曲して全体が一連に形成されており、一方向に延長する中間部分３の全体が、図４に示すように植物４の茎５を支持する屈曲支持片６が連設されてなる植物支持部７とされ、該中間部分３の両端には、土への埋設部９，９が設けられている。なお図３に示す植物支持具１の植物支持部７は、図１〜２に示す植物支持具１の植物支持部７よりも稍長く形成されている。
【００２４】
前記屈曲支持片６は、図５に示すように、植物の茎５を通過させ得る幅狭の入口１１を有し且つ奥側が拡大した拡大収容部１２を有しており、本実施例においては、入口１１から奥端に向けて間隔が広がるように配置された直線状部１３，１３の先端相互を半円弧状部１５で連結してなるループ状を呈している。そして、かかる構成を有する屈曲支持片６が、前記入口１１を交互に逆向きに変化させて前記中間部分３の長さ方向に連設されることにより、前記植物支持部７が構成されている。
【００２５】
かかる構成の植物支持具１は、バネ性線材を屈曲して構成されているため、植物の茎の太さに応じて、前記入口１１を図６に示すように弾性的に拡開できる。そして前記拡大収容部１２内に挿入状態とされた茎５は、前記屈曲支持片６や前記直線状部１３，１３で支持され、それが垂れたり、倒れたりするのが防止される。
【００２６】
又図１〜２、図３に示すように、前記植物支持部７の両端に位置する直線状部１３ａ，１３ａの基端に、該直線状部１３ａの先端側に向けて半円弧状に屈曲する回り止め係止片１６が連設されると共に、該回り止め係止片１６の先端に、前記植物支持部７の軸線方向で見て外方に突出する如く直線状突出部１７が連設されている。又該直線状突出部１７の先端は、危険防止のために小円弧状に屈曲１８させてなり、該直線状突出部１７と前記回り止め係止片１６とによって、前記埋設部９が構成されている。
【００２７】
なお本実施例においては、直線状突出部１７が、前記植物支持部７の軸線方向で見て外方に突出する如く連設されているため、該直線状突出部１７が土に埋設された状態において、植物支持具１の土に対する固定状態をバランスよく安定化させ得る。
【００２８】
かかる構成を有する植物支持具１の各部寸法を例示すれば、前記バネ性線材２の径は１．５ｍｍ程度で、前記屈曲支持片６の最大横幅は６０ｍｍ程度に設定されると共に、その入口幅は４〜６．５ｍｍ程度に、本実施例においては４．５ｍｍ程度に設定されている。又前記直線状突出部１７の長さは１００ｍｍ程度に設定され、前記回り止め係止片１６の大きさは前記屈曲支持片６を構成する半円弧状部１５に略等しく設定されている。
【００２９】
図４は、かかる構成を有する植物支持具１を、茎が横方向にも広がる植物４が植えられている栽培容器（植木鉢）１９の植物支持に用いた場合を示すものであり、そのために、図７に示すように、前記植物支持部７をアーチ状に湾曲させると共に、前記した両直線状突出部１７，１７を、該栽培容器１９の栽培土２０に、該栽培容器１９の対向側の内面２１，２１に沿わせて傾斜状態に突き刺し、前記回り止め係止片１６を該内面２１に当接状態としている。このように回り止め係止片１６を栽培容器の内面２１に当接状態とすることにより、前記埋設部９を確実に回り止めして植物支持具１の固定状態を一層安定化させ得る。なお図７においては、説明の便宜上、植物の図示を省略している。
【００３０】
その後、植物の茎５を前記屈曲支持片６に支持させる。例えば図４に示すように、上方向に伸びる植物の茎５ａを、図５〜６に示すように、前記屈曲支持片６の前記入口１１を通して前記拡大収容部１２内に挿入状態とし、前記半円弧状部１５で下から乃至横から支持させ、該茎５が垂れたり倒れたりするのを防止する。又横方向に伸びる茎５ｂも、図５〜６に示すように、前記アーチ状を呈する植物支持部７の両側部分に存する前記入口１１を通して前記拡大収容部１２内に挿入状態とし、該茎５を例えば半円弧状部１５で下から支持させる。なお、茎５を入口１１に通過させる際、茎の直径が入口幅よりも大きい場合は、図６に矢印で示すように、該入口１１を弾性的に拡開させて茎５を無理なく拡大収容部１２内に挿入状態とする。所要の茎をこのようにして支持させることにより、例えば、植物の花が咲いた状態を整えることができる等、植物支持をお洒落に演出できる。
【００３１】
図８は、前記構成を有する植物支持具１を、横長の栽培容器１９の植物支持に用いた場合を示すものであり、該栽培容器１９の長さ方向に複数個の植物支持具１が栽培土に固定されている。
【００３２】
図９は、本発明に係る植物支持具１のその他の使用状態を示すものであり、前記植物支持部７をアーチ状に湾曲させると共に、前記直線状突出部１７を略垂直状態で土中に埋設すると共に、前記回り止め係止片１６の一部分も土に埋設した状態を示している。回り止め係止片１６がこのように土に埋設されることにより、前記埋設部９を確実に回り止めして植物支持具１の固定状態を一層安定化させ得る。前記栽培容器の植物を支持する場合も、前記回り止め係止片１６を栽培土に埋設状態としてよい。
【００３３】
図１０〜１１、図１２は本考案に係る植物支持具１の他の使用状態を示すものであり、２本の植物支持具１ａ，１ｂを例えば９０°の交差状態にして夫々の植物支持具の埋設部９，９，９，９を栽培土２０に埋設した状態を示している。この場合、図１３に示すように、長さの異なる植物支持具１ａ，１ｂを用い、両植物支持具のアーチ状に屈曲された頂部２２，２３の位置を上下にずらしてもよい。なお図１０〜１３において、植物の図示を省略している。
【実施例２】
【００３４】
本考案は、前記実施の形態で示したものに限定されるものでは決してなく、「実用新案登録請求の範囲」の記載内で種々の設計変更が可能であることはいうまでもない。その一例を挙げれば次のようである。
【００３５】
(1) 図１４は、本考案に係る植物支持具１の他の実施例を示すものであり、中間部分３の中央部分のみに植物支持部７が形成されている。該植物支持部７は、前記と同様構成の屈曲支持片６を、入口１１を交互に逆向きに変化させて、中間部分３の長さ方向に連設することにより構成されている。又中間部分３の両端に設けられる埋設部９は、直線状に形成され、その先端部分は、直径が１５ｍｍ程度の円弧状等の環状に屈曲された回り止め係止片１６とされている。該回り止め係合片１６は、危険防止の役割を果たすと共に、該埋設部９が図１５に示すように土中に埋設された植物支持具１の使用状態において、該埋設部９の回り止めに寄与する。
【００３６】
該埋設部９は、図１６に示すように、直線状部２６の基端側に、半円弧状等を呈する回り止め係止片１６を連設した構成としてもよい。図１７は、かかる構成を有する植物支持具１の使用状態を示すものであり、回り止め係止片１６が栽培容器１９の内面２１に当接状態とされている。図１８においては、前記回り止め係止片１６が栽培土２０に埋設されており、埋設部９の回り止めの確実化が図られている。そして前記と同様にして、植物の茎を所要の屈曲支持片６の縁部で支持させる。
【００３７】
なお図１５、図１７、図１８において、植物は省略されている。
【００３８】
(2) 前記屈曲支持片６は、前記のように半円弧状部を具えるものには特定されない。図１９に示す植物支持具１においては、前記植物支持部７を構成する屈曲支持片６が、幅狭の入口１１を具える台形状に構成されている。又、土への埋設部９は、先端が円弧状に屈曲された直線状突出部１７の基端側に、前記と同様にして回り止め作用を呈する三角形状等に屈曲した回り止め係止片１６が連設されている。
【００３９】
このように構成するときも、例えば図２０に示すように、中間部分３の中央部分のみに植物支持部７を設ける場合がある。なお図２０においては、前記直線状突出部１７の先端部分を、半円弧状等を呈する回り止め係止片１６が連設された構成としている。又図２１においては、埋設部９は直線状に形成されると共に、その先端部分は、直径が１５ｍｍ程度の円弧状等の環状に屈曲された回り止め係止片１６とされている。
【００４０】
(3) 前記植物支持部７は、植物の茎を通過させる幅狭の入口１１を有すると共に奥側の部分が拡大収容部１２となされた屈曲支持片６が、該入口１１を逆向きに交互に変化させながら屈曲形成されている限り、その形態は問わない。
【００４１】
(4) 図２２は、本考案に係る植物支持具１のその他の実施例を示すものであり、中間部分３の両端に設けられる埋設部９を、先端に向かって鋭となる細長な三角形状に構成した場合を示している。
【００４２】
このように構成する場合は、埋設部９の基端側が拡大して回り止め係止片１６が形成されているため、該埋設部９を土に突き刺す等して埋設した状態で、該埋設部９の回り止めが効果的に図られる。
【００４３】
(5) 埋設部９に設ける回り止め係止片１６は、土中に埋設されたり、栽培容器の内面に当接して該埋設部の回り止めを達成できるものであれば、その形態は前記実施例で示したものには特定されず、各種に構成され得る。
【００４４】
(6) 本考案に係る植物支持具を構成するバネ性線材は、前記した金属製の他、樹脂製であってもよい。
【００４５】
(7) 本考案に係る植物支持具１は、植物の支持状態に合わせてアーチ状等に屈曲された形態に射出成形されることもある。或いは、金属線材を用いて全体がアーチ状等に屈曲されたものとして構成することもできる。
【００４６】
又、本考案に係る植物支持具は、線材を屈曲して全体を一連に形成することの他、金属板や樹脂板等の板体を打ち抜くことによって、中間部分の両端に埋設部が設けられたものとして構成することもできる。
【００４７】
(8) 本考案に係る植物支持具１は、通常は、埋設部９を土に突き刺すことによって埋設状態とするのであるが、土が固い場合は、土に設けた穴に埋設部を挿入して後に土を埋め戻すことにより、結果的に埋設部が土に埋設された状態とすることもある。
【図面の簡単な説明】
【００４８】
【図１】本考案に係る植物支持具を示す正面図である。
【図２】その斜視図である。
【図３】本考案に係る植物支持具の他の実施例を示す正面図である。
【図４】植物支持具の使用状態を示す斜視図である。
【図５】植物の茎を屈曲支持片の入口に通す状態を示す説明図である。
【図６】植物の茎を入口に通す際に、該入口を弾性的に拡開させた状態を示す説明図である。
【図７】植物支持具を栽培容器に取り付けた状態を示す斜視図である。
【図８】植物支持具を栽培容器に取り付けた他の態様を示す斜視図である。
【図９】植物支持具を地面に取り付けた状態を示す斜視図である。
【図１０】２本の植物支持具を９０°の交叉状態で栽培容器に取り付けた状態を示す斜視図である。
【図１１】その断面図である。
【図１２】２本の植物支持具を９０°の交叉状態で栽培容器に取り付けた他の態様を示す斜視図である。
【図１３】２本の植物支持具を９０°の交叉状態で栽培容器に取り付ける際、両植物支持具の頂部の位置を上下にずらした態様を示す断面図である。
【図１４】植物支持具の他の態様を示す正面図である。
【図１５】その植物支持具を植木鉢に取り付けた状態を示す斜視図である。
【図１６】植物支持具のその他の実施例を示す正面図である。
【図１７】その植物支持具を栽培容器に取り付けた状態を示す斜視図である。
【図１８】その植物支持具を地面に取り付けた状態を示す斜視図である。
【図１９】植物支持具のその他の実施例を示す正面図である。
【図２０】植物支持具のその他の実施例を示す正面図である。
【図２１】植物支持具のその他の実施例を示す正面図である。
【図２２】植物支持具のその他の実施例を示す正面図である。
【符号の説明】
【００４９】
１  植物支持具
２  バネ性線材
３  中間部分
４  植物
５  茎
６  屈曲支持片
７  植物支持部
９  埋設部
１１  入口
１２  拡大収容部
１３  直線状部
１５  半円弧状部
１６  回り止め係止片
１７  直線状突出部
１９  栽培容器
２０  栽培土
２１  栽培容器の内面
【図１】
0003103179.tif 000003
【図２】
0003103179.tif 000004
【図３】
0003103179.tif 000005
【図４】
0003103179.tif 000006
【図５】
0003103179.tif 000007
【図６】
0003103179.tif 000008
【図７】
0003103179.tif 000009
【図８】
0003103179.tif 000010
【図９】
0003103179.tif 000011
【図１０】
0003103179.tif 000012
【図１１】
0003103179.tif 000013
【図１２】
0003103179.tif 000014
【図１３】
0003103179.tif 000015
【図１４】
0003103179.tif 000016
【図１５】
0003103179.tif 000017
【図１６】
0003103179.tif 000018
【図１７】
0003103179.tif 000019
【図１８】
0003103179.tif 000020
【図１９】
0003103179.tif 000021
【図２０】
0003103179.tif 000022
【図２１】
0003103179.tif 000023
【図２２】
0003103179.tif 000024